【事件の表示】
　特願２００８−５５２６２９「液体展開用シート」拒絶査定不服審判事件〔平成２１年　３月１２日国際公開、ＷＯ２００９／０３１４８４〕について、次のとおり審決する。
【結　論】
　本件審判の請求は、成り立たない。
【理　由】
 １．手続の経緯 
 　本願は、平成１９年９月７日に出願された特願２００７−２３２３４９号を先の出願として優先権主張して平成２０年９月１日を国際出願日としてなされた国際出願（特願２００８−５５２６２９号）であって、平成２４年１月４日付けで拒絶理由が通知された後、同年３月１２日付けで意見書と手続補正書の提出がなされ、更に同年６月４日付けで最後の拒絶理由が通知され、同年７月９日付けで意見書と手続補正書の提出がなされたが、同年８月３１日付けで同年７月９日付けの手続補正に対して補正の却下の決定がなされるとともに、同日付で拒絶査定がなされ、これに対し、同年１１月２８日に拒絶査定不服審判の請求がなされたものである。 
 　 
２．本願発明 
　平成２４年７月９日付けの手続補正は上記のとおり却下されているので、本願の請求項１ないし９に係る発明は、平成２４年３月１２日付け手続補正書により補正された特許請求の範囲の請求項１ないし９に記載された事項により特定されるものであって、その請求項１は以下のとおりのものである。（以下、「本願発明」という） 　 
「　【請求項１】
空気逃げ孔を有するカバーフィルムと、吸引口と空気逃げ孔に対応する位置の間に電極および試薬層を有する絶縁基板とを、吸引口から空気逃げ孔に連通する切り欠きを有するスペーサーを介して貼り合わせてなる、キャビティを具備したバイオセンサーの、カバーフィルムに用いる基材であって、前記基材の少なくとも片面に液体受容層が配され、該液体受容層が、バインダーおよび、エチレンオキサイド単位からなるブロックと炭素数が３以上のアルキレンオキサイド単位からなるブロックとを含むブロック共重合体を含有する液体展開用シート。」
  　 
 ３．引用刊行物の記載事項 
（１）刊行物１
　　原査定の拒絶の理由に引用され、優先日前に頒布された刊行物１（特開２００２−２１４１８７号公報）には、バイオセンサに関して、次の事項が図面とともに記載されている。 
（１ａ）特許請求の範囲
「【請求項１】  液体試料が毛細管現象にて導入されるキャビティを具備し、導入された前記液体試料と試薬の反応により液体試料中の成分を分析可能なバイオセンサにおいて、前記キャビティが、少なくとも作用極、対極からなる電極部が配置された絶縁性基板、切欠部を有するスペーサおよび液体吸引性を有するカバーとの貼り合わせにより形成されていることを特徴とするバイオセンサ。
【請求項２】  液体吸引性を有するカバーの表面に液体吸引層が設けられ、該液体吸引層がバインダーと界面活性剤および／または導電性樹脂からなることを特徴とする請求項１に記載のバイオセンサ。」
（１ｂ）第２頁左欄〜右欄 
「【０００３】図１はそのような従来の血糖値測定用のバイオセンサを示す分解斜視図である。なお、図１に示すバイオセンサの主要構成は、本発明に係るバイオセンサにおいても同等であり、本発明においては各部に改良や変更が施される。図１において、ポリエチレンテレフタレート等からなる絶縁基板５上には、スクリーン印刷等により作用極１と対極２からなる電極が形成されており、これら電極上には酵素であるグルコースオキシダーゼ、電子伝達体であるフェリシアン化カリウム及び親水性高分子であるカルボキシメチルセルロースなどを含む試薬層１０が形成されている。
【０００４】そしてある量の血液を採取し、採取した血液と試薬層１０との反応で生じる電流値を上記電極で検出するためのキャビティ１１を形成するため、電極および試薬上の部分を細長く切り欠いたスペーサ７と、空気逃げ孔９を形成したカバー６とを絶縁性基板５上に貼り合わせている。
【０００５】このような構成のバイオセンサにおいて、血液は吸引口８から毛細管現象によりキャビティ１１内に導入され、電極と試薬のある位置まで導かれる。そして、電極上での血液と試薬との反応により生じる電流値は、リード３、４を通じて図示しない外部の測定装置に接続して読みとられる。
【０００６】しかし、上述の様な毛細管現象だけでは、血液をキャビティ１１内にスムーズに導入することは難しく、より素早く且つ正確に血液を導入するためには、試薬層１０を覆うようにその上から卵黄レシチンなどの界面活性剤層１２を展開するなどの工夫がなされていた。」
　そして、図１にはバイオセンサの各構成部材を離間させた形で上記記載に対応した図が示されている。
（１ｃ）第３頁左欄
「【００１１】
【発明の実施の形態】以下に、本発明について、望ましい実施の形態とともに詳細に説明する。本発明のバイオセンサにおいては、液体試料が毛細管現象にて導入されるキャビティを具備し、導入された液体試料と試薬の反応により液体試料中の成分を分析可能なバイオセンサにおいて、キャビティが少なくとも作用極、対極からなる電極部が配置された絶縁性基板、切欠部を有するスペーサおよび液体吸引性を有するカバーとの貼り合わせにより形成されている。すなわち、全体の主要構成は図１に示したものと同等の構成であるが、とくに液体吸引層を有するカバーを用いる点に特徴がある。」
（１ｄ）第４頁右欄〜５頁左欄
「【００３５】（２）カバーＡ
東レ（株）製ポリエチレンテレフタレートフィルム“ルミラー”（タイプ１００Ｔ６０）を基材とし、また、塗布液として、ポリエステル樹脂／リン酸エステル系アニオン界面活性剤／アセチレングリコールのエチレンオキサイド付加物非イオン界面活性剤を、１００／５／５の割合で調合し、トルエン／ＭＥＫ＝１／１で１５％に希釈したものを用意した。１５％に希釈した塗布液をグラビアコータにて基材に塗布し、１２０℃で３０秒間乾燥して液体吸引層を有するカバーフィルムを得た。液体吸引層の付着量は１．５ｇ／ｍ２であった。
【００３６】（３）カバーＢ
東レ（株）製ポリエチレンテレフタレートフィルム“ルミラー”（タイプ１００Ｔ６０）を基材とし、また、塗布液として、ポリエステル樹脂／ポリオキシエチレントリアルキルアンモニウム塩系カチオン界面活性剤を１００／５の割合で調合し、トルエン／ＭＥＫ＝１／１で１５％に希釈したものを用意した。１５％に希釈した塗布液をグラビアコータにて基材に塗布し、１２０℃で３０秒間乾燥して液体吸引層を有するカバーフィルムを得た。液体吸引層の付着量は１．０ｇ／ｍ２であった。
【００３７】（４）カバーＣ
東レ（株）製ポリエチレンテレフタレートフィルム“ルミラー”（タイプ１００Ｔ６０）を基材とし、また、塗布液として、ポリエステル樹脂／高級脂肪酸アミド系非イオン系界面活性剤を１００／１０の割合で調合し、トルエン／ＭＥＫ＝１／１で１５％に希釈したものを用意した。１５％に希釈した塗布液をグラビアコータにて基材に塗布し、１２０℃で３０秒間乾燥して液体吸引層を有するカバーフィルムを得た。液体吸引層の付着量は１．０ｇ／ｍ２であった。
【００３８】〔バイオセンサ（血糖センサ）の作製方法〕東レ（株）製ポリエチレンテレフタレートフィルム“ルミラー”（タイプ２５０Ｈ１０）上に、スクリーン印刷法により作用極及び対極からなる電極を設け、その上に酵素（グルコースオキシダーゼ）、電子伝達体（フェリシアン化カリウム）および親水性高分子（カルボキシメチルセルロース）などを含む試薬層を形成し、その上から、前記各部材の作製方法（１）の手順で作製した切り欠け部を有するスペーサと、前記各部材の作製方法（２）または（３）または（４）の手順で作製した液体吸引層を有するカバーＡまたはカバーＢまたはカバーＣとを接着することで、血液が導かれるキャビティを備えた血糖センサを作製した。
【００３９】表１はヘマトクリットを４５％に調整した血液を液体吸引層上に１０μＬ滴下した際の血液の拡がりを比較したものである。表１から明らかなように、各部材の作製方法（２）、（３）、（４）の手順でそれぞれ作製した液体吸引層を有するカバーＡ、Ｂ、Ｃを用いた場合にも、従来の界面活性剤（卵黄レシチン）を試薬層上に形成した従来のものと同等の血液の拡がりが得られた。これは、本実施例の液体吸引層が従来の界面活性剤層と同等の血液に対する塗れ性を持つことを示すものである。」
　
「【図１】
　　　　　　　　　　　　　　　　　　　　　　　　　　　　　」
　
　これらの記載（図面の記載も含む）から、上記刊行物１には、次の発明が記載されているものと認められる。
　「空気逃げ孔９を有するカバー６と、吸引口８と空気逃げ孔９に対応する位置の間に作用極１及び対極２並びに試薬層１０を有する絶縁基板５とを、吸引口８から空気逃げ孔９に連通するキャビティ１１を有するスペーサー７を介して貼り合わせてなるシー状のバイオセンサーであって、
　カバー６に用いる基材の表面に液体吸引層が配され、該液体吸引層が、バインダーおよび界面活性剤を含有するシート状のバイオセンサ。」（以下、この発明を「刊行物１発明」という。）
　
（２）刊行物２
　　同じく、原査定の拒絶の理由に引用され、優先日前に頒布された刊行物２（特開２００３−１１６８２１号公報）には、生物学的サンプルのとりわけグルコースの濃度測定における（２頁左欄段落【０００１】【発明の属する技術分野】の項参照）生物学的サンプルの収集に関して、次の事項が図面とともに記載されている。 
（２ａ）特許請求の範囲
「【請求項１】  皮膚を孔あけするための皮膚穿孔要素において、少なくとも１個の流体通路を備えており、当該少なくとも１個の流体通路の先端部における少なくとも実質的な部分が外部環境に対して開口している皮膚穿孔要素。
【請求項２】  生理学的サンプルにおける少なくとも１種類の目的の分析物の濃度を決定するための試験片において、請求項１に記載の少なくとも１個の皮膚穿孔要素を備えている試験片。」
（２ｂ）５頁右欄
「【００２４】上記本発明の流体通路は生理学的サンプルに対して毛細管力または毛細管作用を及ぼすように寸法付けることが可能であり、このような毛細管力により、生理学的サンプルを上記皮膚穿孔要素の中に、さらに多くの場合において、後に詳述するような付随の試験片の中に吸引して保持できる。」
（２ｃ）６頁左欄
「【００２５】特定の実施形態において、上記流体通路はサンプル収集を容易にするために１種類以上の物質を含むことができる。例えば、１種類以上の親水性の物質がこの流体通路内に存在可能であり、このような物質はＭＥＳＡ、Triton、Macol、Tetronic、Silwet、ZonylおよびPluronic等の界面活性剤の類を含むがこれらに限らない。」
（２ｄ）１０頁左欄
「【００５６】各図面に戻って、これらの図面において同一の参照番号または符号は同一の構成部品を示しており、図１０は付随している複数の皮膚穿孔要素を有する本発明による代表的な試験片３００を示している。この試験片３００は付随の不活性な支持体３０４を伴う第１の電極３０２および付随の支持体３１１を伴う第２の電極３０８を備えている。既に説明したように、この試験片３００はスペーサー層３０６を有しており、この実施形態において、このスペーサー層３０６は、上記各電極３０２および３０８に沿って、一定の反応領域３１２を定めている。この試験片３００は一定の計器の中に挿入されるように構成および適合されている。特に、この試験片は第１の端部および第２の端部を有しており、複数の皮膚穿孔要素が少なくとも当該第１の端部に付随していて、第２の端部は、図１２において示されているような、計器９の中に挿入するために構成されている。
【００５７】上記試験片３００はさらに複数の皮膚穿孔要素３１４も備えており、これらの皮膚穿孔要素は上記スペーサー層３０６と同一の材料またはこれと異なる材料により作成できる。上記試験片３００が任意数の皮膚穿孔要素を備え得ることは明らかになると考えられ、この場合の数は約１個乃至５０個、通常的に約１個乃至２５個の範囲にできる。これらの皮膚穿孔要素３１４は流体通路またはチャンネル３１６をそれぞれ有しており、これらの流体通路３１６は第１の側面部分３１７および第２の側面部分３１９に沿って外部環境に対して開口している。また、これらの流体通路３１６は各先端部分３２０よりも基端側に延在している。各皮膚穿孔要素３１４の侵入の長さまたは先端側部分はその基部３２１と先端部分３２０との間の距離として示されている。
【００５８】各流体通路３１６の基端側部分３３７は上記２個の電極３０２および３０８の間に配置されており、図１０において、破線により示されていて、上記試験片が各流体通路をその間に閉じ込めていることを示している。従って、この試験片の各電極は上記各流体通路の一部分に対してそれぞれ境界部分または壁部を形成しており、これらの流体通路の中に流れるサンプルは当該通路の中に存在している間に各電極に対して接触するようになっている。」
　
３．対比、検討
（３．１）本願発明と刊行物１発明との対比
　上記（１ｂ）、（１ｃ）に記載されている図１のバイオセンサにおける「カバー」は、上記（１ｄ）に記載されているように、「カバーフィルム」として調製されている部材であるから、刊行物１発明の「カバー６」は、本願発明の「カバーフィルム」に相当する。
　刊行物１発明の「作用極１及び対極２」が、本願発明の「電極」に相当する。
　刊行物１発明の「キャビティ」が、本願発明の「切り欠き」に相当する。
　刊行物１発明の「キャビティ１１を有するスペーサー７を介して貼り合わせてなるシート状のバイオセンサー」が、本願発明の「キャビティを具備したバイオセンサーの」「液体展開シート」に相当する。
　液体吸収層すなわち液体を吸収する層という層は、液体を受容する層の形態の一つに他ならないから、刊行物１発明の「液体吸引層」は、本願発明の「液体受容層」に相当する。よって、刊行物１発明の「カバー６に用いる基材の表面に液体吸引層が配され」ることが、本願発明の「前記基材の少なくとも片面に液体受容層が配され」ることに相当する。
　本願発明の「エチレンオキサイド単位からなるブロックと炭素数が３以上のアルキレンオキサイド単位からなるブロックとを含むブロック共重合体」は、界面活性剤の一種であるから、刊行物１発明の「バインダーおよび界面活性剤を含有する」ことと、本願発明の「バインダーおよび、エチレンオキサイド単位からなるブロックと炭素数が３以上のアルキレンオキサイド単位からなるブロックとを含むブロック共重合体を含有する」こととは、「バインダーおよび界面活性剤を含有する」点で共通する。
　
　そうすると、両者は、 
（一致点）
「空気逃げ孔を有するカバーフィルムと、吸引口と空気逃げ孔に対応する位置の間に電極および試薬層を有する絶縁基板とを、吸引口から空気逃げ孔に連通する切り欠きを有するスペーサーを介して貼り合わせてなる、キャビティを具備したバイオセンサーの、カバーフィルムに用いる基材であって、前記基材の少なくとも片面に液体受容層が配され、該液体吸引層が、バインダーおよび界面活性剤を含有する液体展開用シート。」
である点で一致し、下記の点で相違する。 
 （相違点） 
　液体受容層が含有する界面活性剤が、本願発明では、「エチレンオキサイド単位からなるブロックと炭素数が３以上のアルキレンオキサイド単位からなるブロックとを含むブロック共重合体を含有する」ものであるのに対し、刊行物１発明では、その点の特定がない点。
　
（３．２）相違点についての検討
　刊行物２には、上記記載（２ａ）、（２ｂ）、（２ｃ）のように、本願発明と同様、生理学的サンプルを毛細管作用で試験片が具備する電極に対して接触するように、流体流路に吸引して収集する場合に、サンプル収集を容易化するために、親水性の物質である、エチレンオキサイド単位からなるブロックと炭素数が３であるプロピレンオキサイド単位からなるブロックとを含むブロック共重合体である界面活性剤のPluronic（プルロニック）を流体流路内に存在させることが、上記記載（２ｃ）に記載されている。
　そうすると、刊行物１発明においても、液体流路であるキャビティを構成するカバーフィルムに用いる基材の少なくとも片面に配する液体受容層（液体吸収層）が含有する界面活性剤として、「エチレンオキサイド単位からなるブロックと炭素数が３以上のアルキレンオキサイド単位からなるブロックとを含むブロック共重合体」である「プルロニック」を選択することは、当業者であれば容易になし得る範囲内の事項である。
　そして、それによる効果も格別のものとは認められない。
 　 
 ４．むすび 
 　以上のとおり、本願発明は、本願優先権主張日前に頒布された上記刊行物１、２に記載された発明に基づいて当業者が容易に発明をすることができたものであるから、特許法第２９条第２項の規定により特許を受けることができない。 
　よって、他の請求項を検討するまでもなく、本願は拒絶されるべきものである。
 　よって、結論のとおり審決する。